(57)【要約】【課題】  農作物を傷つけずに根際の雑草も容易に取り除くことができる除草装置を提供することである。【解決手段】  基部片（１２）と、長さ方向軸線を中心として左右対称となるように、上端が基部片に取り付けられた少なくとも一対のタイン（１４，１６）とを備え、タインが、外方に緩やかに湾曲した形状となるように鋼線材で形成されており、タインの先端部分（１４ｂ，１６ｂ）に、複数の波形部（１４ｂ１，１６ｂ１）がほぼ垂直方向に延びるように設けられていることを特徴とする除草装置（１０）が提供される。好ましくは、除草装置は、タインの先端部分が、側面視で鈍角をなすように折り曲げられている。【選択図】  図１
2012000040.tif 000002
【特許請求の範囲】
【請求項１】
水田又は畑作用の除草装置であって、
基部片と、
長さ方向軸線を中心として左右対称となるように、上端が前記基部片に取り付けられた少なくとも一対のタインとを備え、
前記タインが、外方に緩やかに湾曲した形状となるように鋼線材で形成されており、
前記タインの先端部分に、複数の波形部がほぼ垂直方向に延びるように設けられていることを特徴とする装置。
【請求項２】
前記タインの前記先端部分が、側面視で鈍角をなすように折り曲げられていることを特徴とする請求項１に記載された装置。
【請求項３】
水田又は畑作用の除草装置であって、
基部片と、
長さ方向軸線を中心として左右対称となるように、上端が前記基部片に取り付けられた少なくとも一対のタインとを備え、
前記タインが、先端部分が互いに接近する方向かつ下方に折り曲げられた鋼線材で形成されており、
前記タインの先端部分に、複数の波形部がほぼ垂直方向に延びるように設けられていることを特徴とする装置。
【請求項４】
前記波形部が、正弦曲線状、連続した三角形状、連続した台形状、又は連続した矩形状に形作られていることを特徴とする請求項１から請求項３までのいずれか１項に記載された装置。
【請求項５】
取付部材を介してカルチベータに接続されていることを特徴とする請求項１から請求項４までのいずれか１項に記載された装置。
【請求項６】
前記基部片に取り付けられた柄を更に備えていることを特徴とする請求項１から請求項４までのいずれか１項に記載された装置。
【発明の詳細な説明】
【技術分野】
【０００１】
本発明は、農作物を傷つけることなく根際まで除草を可能にした除草装置に関する。本発明の除草装置は、水田用、畑作用のいずれにも使用することができる。また、本発明の除草装置は、トラクタ等の農業機械に牽引させて使用することもでき、人力で使用することもできる。
【背景技術】
【０００２】
従来、除草装置として種々の型式のものが知られている。例えば、手作業用の除草装置としては、草削りくわやホー等があり、カルチベータに装着する除草装置として、スプリングタインや三角形、Ｌ形等の除草刃等がある。
【発明の開示】
【発明が解決しようとする課題】
【０００３】
しかしながら、従来の除草装置では、除草作業時に接近させすぎて使用すると農作物を傷つけることがあり、また農作物を傷つけないように農作物から遠ざけて使用すると根際の雑草を十分に取り除くことができない等の不都合があった。
【０００４】
本発明は、このような状況に鑑みて開発されたものであって、農作物を傷つけずに根際の雑草も容易に取り除くことができる除草装置を提供することを目的としている。
【課題を解決するための手段】
【０００５】
本願請求項１に記載の除草装置は、基部片と、長さ方向軸線を中心として左右対称となるように、上端が前記基部片に取り付けられた少なくとも一対のタインとを備え、前記タインが、外方に緩やかに湾曲した形状となるように鋼線材で形成されており、前記タインの先端部分に、複数の波形部がほぼ垂直方向に延びるように設けられていることを特徴とするものである。
【０００６】
本願請求項２に記載の除草装置は、前記請求項１の装置において、前記タインの前記先端部分が、側面視で鈍角をなすように折り曲げられていることを特徴とするものである。
【０００７】
本願請求項３に記載の除草装置は、基部片と、長さ方向軸線を中心として左右対称となるように、上端が前記基部片に取り付けられた少なくとも一対のタインとを備え、前記タインが、先端部分が互いに接近する方向かつ下方に折り曲げられた鋼線材で形成されており、前記タインの先端部分に、複数の波形部がほぼ垂直方向に延びるように設けられていることを特徴とするものである。
【０００８】
本願請求項４に記載の除草装置は、前記請求項１から請求項３までのいずれか１項の装置において、前記波形部が、正弦曲線状、連続した三角形状、連続した台形状、又は連続した矩形状に形作られていることを特徴とするものである。
【０００９】
本願請求項５に記載の除草装置は、前記請求項１から請求項４までのいずれか１項の装置において、取付部材を介してカルチベータに接続されていることを特徴とするものである。
【００１０】
本願請求項６に記載の除草装置は、前記請求項１から請求項４までのいずれか１項の装置において、前記基部片に取り付けられた柄を更に備えていることを特徴とするものである。
【発明の効果】
【００１１】
本発明によれば、除草作業を効率的に実施することができる。本発明の装置では、除草タインの先端部分に波形部が設けられているため、除草作業に際して、除草タインが地面に貫入し易くなるとともに、地中内にある雑草を根ごと取り除くことができる。また、本発明の装置では、波形部がほぼ垂直方向に延びるように形成されているため、波形部が地中を移動する空間が幅狭となり、農作物を傷つけずに根際の除草をすることができるという効果が得られる。さらに、本発明の装置は、構造が比較的簡単であるため、製造コストが廉価であり、故障するおそれも少ないため、メンテナンスコストを安価に保持することができる。
【発明を実施するための最良の形態】
【００１２】
次に添付図面を参照して、本発明の好ましい実施の形態に係る除草装置について詳細に説明する。図１は、本発明の第１の実施の形態に係る除草装置の斜視図、図２は、図１の除草装置の側面図、図３（ａ）は、図１の除草装置の平面図、図３（ｂ）は、図２の部分３ｂの拡大図である。図１および図２において全体として参照符号１０で示される本発明の好ましい実施の形態に係る除草装置は、取付部１２ａを有する基部片１２と、上端１４ａが基部片１２に取り付けられた一対の外側タイン１４と、外側タイン１４の内側に位置するように上端１６ａが基部片１２に取り付けられた一対の内側タイン１６とを備えている。
【００１３】
一対の外側タイン１４は、長さ方向軸線ｘ−ｘ（図３（ａ）参照）を中心として左右対称となるように配置されており、各外側タイン１４は、外方に緩やかに膨らんだ湾曲形状を有している。好ましくは、各外側タイン１４の先端部分１４ｂは、図２に最も良く示されるように、側面視で鈍角αをなすように折り曲げられている。先端部分１４ｂには、複数（図２では５個）の波形部１４ｂ１が、ほぼ垂直方向に延びるように設けられている。ここで「ほぼ垂直方向に延びるように」とは、側面視では波形部１４ｂ１の頂部１４ｂ１−ｔと底部１４ｂ１−ｂを識別することができる（図２参照）が、平面視では頂部１４ｂ１−ｔと底部１４ｂ１−ｂを識別することがほぼ困難である（図３（ａ）参照）ことを意味している。
【００１４】
一対の内側タイン１６も、外側タイン１４と同様に、長さ方向軸線ｘ−ｘ（図３（ａ）参照）を中心として左右対称となるように配置されており、各内側タイン１６は、外方に緩やかに膨らんだ湾曲形状を有している。好ましくは、各内側タイン１６の先端部分１６ｂは、側面視で鈍角αをなすように折り曲げられている。先端部分１６ｂには、複数（図２では２個）の波形部１６ｂ１が、ほぼ垂直方向に延びるように設けられている。
【００１５】
外側タイン１４および内側タイン１６は、農作物を傷つけることなく除草することができるように、所要の弾性（例えば、片持梁の先端に負荷したときのバネ定数が７ｇ／ｍｍ〜１５ｇ／ｍｍ程度）をもつスプリングタインである。外側タイン１４および内側タイン１６は通常、線径２ｍｍ〜６ｍｍの鋼線材で形成されているが、鋼線材の線径はこれに限定されるものではない。
【００１６】
なお、図１〜図３では、各内側タイン１６が２本の鋼線材で形成されている（上方に位置する鋼線材に下方に位置する鋼線材が継ぎ足されている）ものとして図示されているが、各内側タイン１６を１本の鋼線材で形成してもよい。
【００１７】
また、図１に示される外側タイン１４および内側タイン１６は、先端部がほぼ接触した状態になるように僅かに折り曲げて形成されているが、先端部が交差するように形成してもよいし、対向する先端部間に間隔が生ずるように形成してもよい。
【００１８】
また、図１〜図３に示される除草装置１０では、単一の基部片１２にタイン１４、１６が取り付けられているが、図４に示されるように、複数の基部片１２にタイン１４、１６を取り付けるように構成してもよい。また、基部片１２に外側タイン１４と内側タイン１６の２種類のタインが取り付けられているが、基部片１２に取り付けるタインを１種類にしてもよいし、或いは３種類にしてもよい（いずれも図示せず）。
【００１９】
次に、除草装置１０をカルチベータに取り付ける際の取り付け方法について説明する。図５（ａ）は、除草装置１０の取り付け状態の一例を示した斜視図、図５（ｂ）は、除草装置１０の取り付け状態の一例を示した側面図である。カルチベータ（図示せず）の進行方向Ｆに延びた取付部材１８の後端に、基部片１２の取付部１２ａを介して除草装置１０が取り付けられている。取付部材１８は、前部にトラクタの油圧３点支持装置に連結されるマスト（図示せず）を有するツールバー２０に、締金２２を介してボルト留めされている。除草装置１０は、ボルトを弛めて締金２２の位置を調整することにより、ツールバー２０の所望の箇所に所望の基数を固定することができるようになっている。なお、通常、除草作業時にタイン１４、１６が地中に入り込み易くなるように、錘やバネを用いてタイン１４、１６に負荷が加えられる。
【００２０】
図６を参照して、以上のように構成された除草装置１０の作動について説明する。カルチベータに除草装置１０を接続し、トラクタでカルチベータを牽引することによって除草作業が行われる。除草作業に際しては、除草装置１０の外側タイン１４および内側タイン１６の中心線が作物列に追従するように除草装置１０を移動させる（図６（ｃ）参照）。すると、外側タイン１４および内側タイン１６の先端部分１４ｂ、１６ｂが地面に入り込む（図６（ａ）では、外側タイン１４の先端部分１４ｂが地中に入っている状態が模式的に示されている）。この際、先端部分１４ｂに波形部１４ｂ１が形成されているため、地面に貫入し易くなる（波形部１４ｂ１により地面が切り裂かれるような状態になる）とともに、地中内にある雑草が根ごと取り除かれる（波形部１４ｂ１により雑草が引き千切られるような状態になる）。しかも、波形部１４ｂ１が垂直方向に延びるように形成されているため、波形部１４ｂ１が地中を移動する空間は、幅Ｗがタイン１４、１６の鋼線材と略同等であり深さがＤの幅狭空間（図６（ａ）で破線で図示）となり、農作物を傷つけにくくなる。
【００２１】
図７は、本発明の第２の実施の形態に係る除草装置３０を示した一連の図である。除草装置３０は、タインが湾曲した鋼線材ではなく直線状の鋼線材で形成されている点を除いて、除草装置１０と実質的に同一の構成を有している。すなわち、除草装置３０は、基部片３２と、上端３４ａが基部片３２に取り付けられた一対のタイン３４とを備えている。直線状の鋼線材で形成されたタイン３４は、長さ方向軸線を中心として左右対称となるように配置されている。タイン３４は、先端部分３４ｂが互いに接近する方向かつ下方に折り曲げられており、折り曲げられた先端部分３４ｂに、複数の波形部３４ｂ１（頂部３４ｂ１−ｔ、底部３４ｂ１−ｂ）がほぼ垂直方向に延びるように設けられている。
【００２２】
本発明は、以上の発明の実施の形態に限定されることなく、特許請求の範囲に記載された発明の範囲内で、種々の変更が可能であり、それらも本発明の範囲内に包含されるものであることはいうまでもない。
【００２３】
たとえば、前記実施の形態において図示されている波形部１４ｂ１、１６ｂ１がサインカーブ（正弦曲線）状に形作られているが、連続した三角形（図８（ａ）参照）、連続した台形（図８（ｂ）参照）、又は連続した矩形（図８（ｃ）参照）などの適当な形状に形作ってもよい。
【００２４】
さらに、図９に示されるように、基部片１２の取付部１２ａにボルト留め等することによって柄２４を取り付け、人力で除草作業をすることができるようにしてもよい。
【図面の簡単な説明】
【００２５】
【図１】本発明の第１の実施の形態に係る除草装置を示した斜視図である。
【図２】図１の除草装置の側面図である。
【図３】図３（ａ）は、図１の除草装置の平面図、図３（ｂ）は、図２の部分３ｂの拡大図である。
【図４】図１の除草装置の変形形態を示した斜視図である。
【図５】図５（ａ）は、図１の除草装置の取り付け状態の一例を示した斜視図、図５（ｂ）は、図５（ａ）の側面図である。
【図６】図１の除草装置の作動を説明するための一連の図である。
【図７】図７（ａ）は、本発明の第２の実施の形態に係る除草装置を示した斜視図、図７（ｂ）は、図７（ａ）の除草装置の平面図、図７（ｃ）は、図７（ａ）の除草装置の側面図である。
【図８】除草装置の波形部の変形形態を示した一連の図である。
【図９】人力式の除草装置の一例を示した斜視図である。
【符号の説明】
【００２６】
１０  第１の実施の形態に係る除草装置
１２  基部片
１２ａ  取付部
１４  外側タイン
１４ａ  上端
１４ｂ  先端部分
１４ｂ１  波形部
１４ｂ１−ｔ  頂部
１４ｂ１−ｂ  底部
１６  内側タイン
１６ａ  上端
１６ｂ  先端部分
１６ｂ１  波形部
１６ｂ１−ｔ  頂部
１６ｂ１−ｂ  底部
１８  取付部材
２０  ツールバー
２２  締金
２４  柄
３０  第２の実施の形態に係る除草装置
３２  基部片
３４  タイン
３４ａ  上端
３４ｂ  先端部分
３４ｂ１  波形部
３４ｂ１−ｔ  頂部
３４ｂ１−ｂ  底部
【図１】
2012000040.tif 000003
【図２】
2012000040.tif 000004
【図３】
2012000040.tif 000005
【図４】
2012000040.tif 000006
【図５】
2012000040.tif 000007
【図６】
2012000040.tif 000008
【図７】
2012000040.tif 000009
【図８】
2012000040.tif 000010
【図９】
2012000040.tif 000011